(57)【特許請求の範囲】
【請求項１】
貫通孔を有するボビンと、
このボビンに巻回された巻線と、
前記貫通孔に挿入された閉磁路磁芯と、
この閉磁路磁芯の内側面と前記ボビンの外周面との間に配置された絶縁板とを備え、
前記ボビンには、
前記ボビンの下部に配置され前記閉磁路磁芯が載置される突出部と、
この突出部の上に配置され前記ボビンの外周面から外側に向かって、テーパ部を有するテーパ壁部とが設けられ、
前記テーパ壁部の幅と前記絶縁板の厚さとが略同一であるラインフィルタ。
【請求項２】
前記ボビンの前記外周面に沿って前記突出部の上面に凹部が設けられ、
前記テーパ壁部は、前記凹部の両端の壁上に配置されている請求項１に記載のラインフィルタ。
【請求項３】
前記閉磁路磁芯はＥ型形状磁芯を２つ組み合わせて形成され、前記絶縁板はＬ字形状である請求項１に記載のラインフィルタ。
【請求項４】
前記閉磁路磁芯はＵ型形状磁芯を２つ組み合わせて形成され、前記絶縁板はＩ字形状であるとともに前記閉磁路磁芯の下面側に突出する突起部を有する請求項１に記載のラインフィルタ。
【請求項５】
前記閉磁路磁芯の突き合わせ面が前記ボビンの鍔と対向する位置に配置され、
前記閉磁路磁芯の突き合わせ面および前記絶縁板および前記鍔とが一体的に接着剤によって接着され、かつ前記閉磁路磁芯の外周及び前記突出部の外周が絶縁テープで巻回接着された請求項３または請求項４に記載のラインフィルタ。
【発明の詳細な説明】
【０００１】
【発明の属する技術分野】
本発明は各種民生機器等に用いるラインフィルタに関するものである。
【０００２】
【従来の技術】
以下、従来のラインフィルタについて図面を参照しながら説明する。
【０００３】
図７は従来のラインフィルタの分解斜視図、図８は同ラインフィルタの斜視図である。
【０００４】
図７，図８において、従来のラインフィルタは、軸方向に貫通孔１を有するとともに、複数の鍔２を有したボビン３と、このボビン３の鍔２間に巻回した巻線４と、この巻線４を接続するとともに、ボビン３に植設した端子５と、ボビン３の貫通孔１に挿入するとともに、２つのＵ型形状磁芯を組み合わせて形成した閉磁路磁芯６とを備えている。
【０００５】
また、ボビン３の下面部には、閉磁路磁芯６を配置する凹部７を設け、この凹部７内に絶縁板８を介して閉磁路磁芯６を設けている。
【０００６】
さらに、閉磁路磁芯６は組み合わせた突き合わせ面９が離れないように、コの字形状の金属板１０によって閉磁路磁芯６を挟持している。
【０００７】
そして、ワニス含浸させて、ボビン３、閉磁路磁芯６、絶縁板８、巻線４等を固着している。
【０００８】
【発明が解決しようとする課題】
一般に、上記構成のラインフィルタは、情報端末機器のＡＣ電源（商用電源）用の充電機器等で用い、充電機器等の使用中におけるノイズ除去のために用いる。
【０００９】
上記従来の構成では、上下方向に閉磁路磁芯を配置しているために、高さ方向の小型化ができないとともに、ラインフィルタを実装基板に実装した際、実装基板の配線パターンと閉磁路磁芯６とが近接して短絡が生じ易くなり、的確なノイズ除去ができないという問題点を有していた。
【００１０】
本発明は上記問題点を解決するもので、情報端末機器の充電機器等で使用した際、高さ方向の小型化および短絡を防止して的確にノイズ除去を図ることのできるラインフィルタを提供することを目的としている。
【００１１】
【課題を解決するための手段】
本発明は上記目的を達成するために、以下の構成を有するものである。
【００１２】
本発明の請求項１記載の発明は、貫通孔を有するボビンと、このボビンに巻回された巻線と、前記貫通孔に挿入された閉磁路磁芯と、この閉磁路磁芯の内側面と前記ボビンの外周面との間に配置された絶縁板とを備え、前記ボビンには、前記ボビンの下部に配置され前記閉磁路磁芯が載置される突出部と、この突出部の上に配置され前記ボビンの外周面から外側に向かって、テーパ部を有するテーパ壁部とが設けられ、前記テーパ壁部の幅と前記絶縁板の厚さとが略同一であるラインフィルタである。
【００１３】
上記構成により、絶縁板の横方向の位置決めができるとともに、閉磁路磁芯と巻線との間隔も一定距離に保つことができ、閉磁路磁芯の位置決めをすることができる。特に、使用状態によって絶縁板を必要としない場合等には、絶縁板を取り外しても、閉磁路磁芯と巻線との間隔をテーパ壁部の幅によって、一定距離に保つことができるので、最低限の絶縁距離を確保でき使い勝手もよい。
【００１４】
さらに、閉磁路磁芯を水平方向になるようにボビンの突出部上に載置しているので、実装基板の配線パターンと閉磁路磁芯とが近接して短絡が生じ易くなり、的確にノイズを除去することができる。
【００１５】
また、ボビンの突出部上に閉磁路磁芯を水平方向に載置した際、ボビンに巻回した巻線と閉磁路磁芯とが近接して短絡のしやすい状態になるが、閉磁路磁芯の内側面とボビンの外周面との間に絶縁板を配置しているので、閉磁路磁芯と巻線との絶縁を的確に図れ、横方向を大きくすることなく、高さ方向を小型化することができる。
【００１６】
さらに、特に閉磁路磁芯はＥ型形状磁芯を２つ組み合わせて形成し、突出部はボビンの鍔部から互いに同寸法分だけ突出させて設けるとともに、ボビンの外周面に沿って前記突出部の上面に凹部を設け、絶縁板はＬ字部を有した断面Ｌ字形状にするとともに、前記Ｌ字部を前記凹部に配置し、前記Ｌ字部を前記閉磁路磁芯の下面に対向させて係止した構成である。
【００１７】
さらにまた、Ｅ型形状磁芯を２つ組み合わせて閉磁路磁芯を形成する場合、絶縁板を介して巻線と閉磁路磁芯とが近接するが、絶縁板はＬ字部を有した断面Ｌ字形状にするとともに、このＬ字部を凹部に配置し、絶縁板のＬ字部を閉磁路磁芯の下面に対向させて係止するので、巻線と閉磁路磁芯との絶縁距離を絶縁板のＬ字部の分だけ長くすることができ、的確な絶縁を図ることができる。
【００１８】
また、絶縁板のＬ字部は閉磁路磁芯の下面に対向させて係止しているので、絶縁板が脱落することもない。
【００１９】
さらに、閉磁路磁芯はＵ型形状磁芯を２つ組み合わせて形成し、突出部はボビンの鍔部から片側方向にだけ突出させて設けるとともに、ボビンの外周面に沿って前記突出部の上面に溝部を設け、絶縁板は断面Ｉ字形状にするとともに、前記絶縁板の先端部を前記溝部に挿入した。
【００２０】
上記構成により、Ｕ字型形状磁芯を２つ組み合わせて閉磁路磁芯を形成する場合、絶縁板を介して巻線と閉磁路磁芯とが近接するが、突出部はボビンの鍔部から片側方向にだけ突出させているので、突出部を両側方向に突出させる際に比べ、同等のボビンの幅でも、突出部の突出長さを長くすることができる。すなわち、端子を突出長さの長くなった突出部の端部に植設すれば、溝部の深さを深くしても、溝部と端子との距離を大きくすることができ、突出部の溝部近傍の強度を損なうことがない。ボビン強度を損なうことなく、絶縁板による閉磁路磁芯と巻線との絶縁を的確に図ることができる。
【００２１】
また、絶縁板は、閉磁路磁芯の下面側に突出する突起部を設けた。
【００２２】
上記構成により、絶縁板の突起部を閉磁路磁芯の下面側に突出させているので、絶縁板は閉磁路磁芯に支持されて脱落することがない。
【００２３】
さらにまた、閉磁路磁芯は２つのＵ型形状磁芯またはＥ型形状磁芯を組み合わせて形成するとともに、前記閉磁路磁芯の突き合わせ面をボビンの鍔と対向する位置に配置し、前記閉磁路磁芯の突き合わせ面および前記絶縁板および前記鍔とに一体的に接着剤を塗布して接着し、かつ閉磁路磁芯の外周を絶縁テープで巻回接着するとともに、前記閉磁路磁芯を上方に配置する突出部の外周にも前記絶縁テープを巻回接着した。
【００２４】
上記構成により、ボビン等の個々の部品をワニス含浸させて固着しないので、巻線間にワニスによる分布容量が生じて減衰特性が劣化するということもなく、特に、５００ｋＨｚ程度〜数１０ＭＨｚの高周波数帯域の減衰特性を向上し、的確なノイズ除去をすることができる。
【００２５】
【発明の実施の形態】
（実施の形態１）
以下、実施の形態１を用いて、本発明の請求項１〜３，７について図面を参照しながら説明する。
【００２６】
図１は本発明の実施の形態１におけるラインフィルタの分解斜視図、図２は同ラインフィルタの斜視図、図３は同ラインフィルタの断面図である。
【００２７】
図１〜図３において、本発明の実施の形態１におけるラインフィルタは、軸方向に貫通孔２１を有するとともに、複数の鍔２２を有したボビン２３と、このボビン２３の鍔２２間に巻回した巻線２４と、この巻線２４を接続するとともに、ボビン２３に植設した端子２５と、ボビン２３の貫通孔２１に挿入した閉磁路磁芯２６とを備えている。
【００２８】
また、ボビン２３の下部には、巻線２４と対向する部分を除いて、ボビン２３の一部を水平方向に突出させた突出部３０を設けるとともに、この突出部３０上に閉磁路磁芯２６を水平方向になるように載置し、かつ閉磁路磁芯２６の内側面とボビン２３の外周面との間に絶縁板２８を配置している。
【００２９】
さらに、閉磁路磁芯２６はＥ型形状磁芯を２つ組み合わせて形成し、突出部３０はボビン２３の鍔２２から互いに同寸法だけ突出させて設けるとともに、ボビン２３の外周面に沿って突出部３０の上面に凹部３１を設け、絶縁板２８はＬ字部３２を有した断面Ｌ字形状にするとともに、Ｌ字部３２を凹部３１に配置し、Ｌ字部３２を閉磁路磁芯２６の下面に対向させて係止している。特に、凹部３１の両端の内側壁上には、ボビン２３の外周面から外側に向かって、テーパ部を有したテーパ壁部３３を設けるとともに、このテーパ壁部３３の幅（Ｗ１）を絶縁板２８の厚さ（Ｗ２）と略同一にしている。
【００３０】
そして、閉磁路磁芯２６を形成するＥ型形状磁芯の突き合わせ面２９をボビン２３の鍔２２と対向する位置に配置し、Ｅ型形状磁芯の突き合わせ面２９および絶縁板２８および鍔２２とに一体的に接着剤３４を塗布して接着し、かつ閉磁路磁芯２６の外周を絶縁テープ３５で巻回接着するとともに、閉磁路磁芯２６を上方に配置する突出部３０の外周にも絶縁テープ３５を巻回接着している。
【００３１】
上記構成により、閉磁路磁芯２６を水平方向になるようにボビン２３の突出部３０上に載置しているので、実装基板の配線パターンと閉磁路磁芯２６とが近接して短絡が生じ易くなることを防止し、的確にノイズを除去することができる。
【００３２】
また、ボビン２３の突出部３０上に閉磁路磁芯２６を水平方向に載置した際、ボビン２３に巻回した巻線２４と閉磁路磁芯２６とが近接して短絡のし易い状態になるが、閉磁路磁芯２６の内側面とボビン２３の外周面との間に絶縁板２８を配置しているので、閉磁路磁芯２８と巻線２４との絶縁が的確に図れ、横方向に大きくすることなく、高さ方向を小型化することができる。
【００３３】
さらに、Ｅ型形状磁芯を２つ組み合わせて閉磁路磁芯２６を形成した場合、絶縁板２８を介して巻線２４と閉磁路磁芯２６とが近接するが、絶縁板２８はＬ字部３２を有した断面Ｌ字形状にするとともに、このＬ字部３２を凹部３１に配置し、絶縁板２８のＬ字部３２を閉磁路磁芯２６の下面に対向させて係止するので、巻線２４と閉磁路磁芯２６との絶縁距離を絶縁板２８のＬ字部３２の分だけ長くすることができ、的確な絶縁を図ることができる。このとき、絶縁板２８のＬ字部３２は閉磁路磁芯２６の下面に対向させて係止しているので、絶縁板２８が脱落することもない。
【００３４】
そして、凹部３１の両端の内側壁上に、ボビン２３の外周面から外側に向かってテーパ部を有したテーパ壁部３３を設けるとともに、このテーパ壁部３３の幅（Ｗ１）を絶縁板２８の厚さ（Ｗ２）と略同一にしているので、絶縁板２８の横方向の位置決めができるとともに、閉磁路磁芯２６と巻線２４との間隔も一定距離に保つことができ、閉磁路磁芯２６の位置決めをすることができる。特に、使用状態によって絶縁板２８を必要としない場合等には、絶縁板２８を取り外しても、閉磁路磁芯２６と巻線２４との間隔をテーパ壁部３３の幅によって、一定距離に保つことができるので、最低限の絶縁距離を確保でき使い勝手もよい。
【００３５】
その上、ボビン２３等の個々の部品をワニス含浸させて固着しないので、巻線２４間にワニスによる分布容量が生じて減衰特性が劣化するということもなく、特に、５００ｋＨｚ程度〜数１０ＭＨｚの高周波数帯域の減衰特性を向上し、的確なノイズ除去をすることができる。
【００３６】
特に、閉磁路磁芯２６の外周を絶縁テープ３５で巻回接着するとともに、閉磁路磁芯２６を上方に配置する突出部３０の外周にも絶縁テープ３５を巻回接着しているので、衝撃等が閉磁路磁芯２６に加わり、閉磁路磁芯２６にクラック等が生じても、閉磁路磁芯２６が欠けて飛散することを防止できる。
【００３７】
このように本発明の実施の形態１によれば、実装基板の配線パターンと閉磁路磁芯２６とが近接して短絡が生じ易くなり、的確にノイズを除去することができるとともに、閉磁路磁芯２６と巻線２４との絶縁が的確に図れ、横方向を大きくすることなく、高さ方向を小型化することができる。特に、Ｅ型形状磁芯を２つ組み合わせて閉磁路磁芯２６を形成しても、上記効果を得ることができる。
【００３８】
（実施の形態２）
以下、実施の形態２を用いて、本発明の請求項１，４〜６，７について図面を参照しながら説明する。
【００３９】
図４は本発明の実施の形態２におけるラインフィルタの分解斜視図、図５は同ラインフィルタの斜視図、図６は同ラインフィルタの断面図である。
【００４０】
本発明の実施の形態２におけるラインフィルタは、実施の形態１におけるラインフィルタを改良したものである。
【００４１】
図４〜図６において、本発明の実施の形態２におけるラインフィルタは、軸方向に貫通孔２１を有するとともに、複数の鍔２２を有したボビン２３と、このボビン２３の鍔２２間に巻回した巻線２４と、この巻線２４を接続するとともに、ボビン２３に植設した端子２５と、ボビン２３の貫通孔２１に挿入した閉磁路磁芯２６とを備えている。
【００４２】
また、ボビン２３の下部には、巻線２４と対向する部分を除いて、ボビン２３の一部を水平方向に突出させた突出部３０を設けるとともに、閉磁路磁芯２６を水平方向になるように突出部３０上に載置し、かつ閉磁路磁芯２６の内側面とボビン２３の外周面との間に絶縁板２８を配置している。このとき、絶縁板２８には、閉磁路磁芯２６の上面側および下面側に突出する突起部３７を設けている。この閉磁路磁芯２６の下面側に突出する突起部３７は、巻線２４と対向する部分に配置している。
【００４３】
さらに、閉磁路磁芯２６はＵ型形状磁芯を２つ組み合わせて形成し、突出部３０はボビン２３の鍔２２から片側方向にだけ突出させて設けるとともに、ボビン２３の外周面に沿って突出部３０の上面に溝部３６を設け、絶縁板２８は断面Ｉ字形状にするとともに、絶縁板２８の先端部を溝部３６に挿入している。特に、溝部３６の両端の内側壁上には、ボビン２３の外周面から外側に向かって、テーパ部を有したテーパ壁部３３を設けるとともに、テーパ壁部３３の幅（Ｗ１）を絶縁板２８の厚さ（Ｗ２）と略同一にしている。
【００４４】
そして、閉磁路磁芯２６を形成するＵ型形状磁芯の突き合わせ面２９をボビン２３の鍔２２と対向する位置に配置し、この鍔２２に接着剤３４を塗布して、Ｕ型形状磁芯の突き合わせ面２９および絶縁板２８とを接着し、かつ閉磁路磁芯２６の外周を絶縁テープ３５で巻回接着するとともに、閉磁路磁芯２６を上方に配置する突出部３０の外周にも絶縁テープ３５を巻回接着している。
【００４５】
上記構成により、閉磁路磁芯２６を水平方向になるようにボビン２３の突出部３０上に載置しているので、実装基板の配線パターンと閉磁路磁芯２６とが近接して短絡が生じ易くなることを防止し、的確にノイズを除去することができる。
【００４６】
また、ボビン２３の突出部３０上に閉磁路磁芯２６を水平方向に載置した際、ボビン２３に巻回した巻線２４と閉磁路磁芯２６とが近接して短絡のしやすい状態になるが、閉磁路磁芯２６の内側面とボビン２３の外周面との間に絶縁板２８を配置しているので、閉磁路磁芯２６と巻線との絶縁が的確に図れ、横方向を大きくすることなく、高さ方向を小型化することができる。
【００４７】
さらに、Ｕ字型形状磁芯を２つ組み合わせて閉磁路磁芯２６を形成した場合、絶縁板２８を介して巻線２４と閉磁路磁芯２６とが近接するが、突出部３０はボビン２３の鍔２２から片側方向にだけ突出させているので、突出部３０を両側方向に突出させる際に比べ、同等のボビン２３の幅でも、突出部３０の突出長さを長くすることができる。すなわち、端子２５を突出長さの長くなった突出部３０の端部に植設すれば、溝部３６の深さを深くしても、溝部３６と端子２５との距離を大きくすることができ、突出部３０の溝部３６近傍の強度を損なうことがない。ボビン２３の強度を損なうことなく、絶縁板２８による閉磁路磁芯２６と巻線２４との絶縁を的確に図ることができる。このとき、絶縁板２８の突起部３７を少なくとも閉磁路磁芯２６の下面側に突出させているので、絶縁板２８の突起部３７が閉磁路磁芯２６の下面に支持されて、絶縁板２８が脱落することもない。
【００４８】
そして、溝部３６の両端の内側壁上に、ボビン２３の外周面から外側に向かって、テーパ部を有したテーパ壁部３３を設けるとともに、テーパ壁部３３の幅（Ｗ１）を絶縁板２８の厚さ（Ｗ２）と略同一にしているので、絶縁板２８の横方向の位置決めができるとともに、閉磁路磁芯２６と巻線２４との間隔も一定距離に保つことができ、閉磁路磁芯２６の位置決めをすることができる。特に、使用状態によって絶縁板２８を必要としない場合等には、絶縁板２８を取り外しても、閉磁路磁芯２６と巻線２４との間隔をテーパ壁部３３の幅（Ｗ１）によって、一定距離に保つことができるので、最低限の絶縁距離を確保でき使い勝手もよい。
【００４９】
その上、ボビン２３等の個々の部品をワニス含浸させて固着しないので、巻線２４間にワニスによる分布容量が生じて減衰特性が劣化するということもなく、特に、５００ｋＨｚ程度〜数１０ＭＨｚの高周波数帯域の減衰特性を向上し、的確なノイズ除去をすることができる。
【００５０】
特に、閉磁路磁芯２６の外周を絶縁テープ３５で巻回接着するとともに、閉磁路磁芯２６を上方に配置する突出部３０の外周にも絶縁テープ３５を巻回接着しているので、衝撃等が閉磁路磁芯２６に加わり、閉磁路磁芯２６にクラック等が生じても、閉磁路磁芯２６が欠けて飛散することを防止できる。
【００５１】
このように本発明の実施の形態１によれば、実装基板の配線パターンと閉磁路磁芯２６とが近接して短絡が生じ易くなることを防止し、的確にノイズを除去することができるとともに、閉磁路磁芯２６と巻線２４との絶縁が的確に図れ、横方向を大きくすることなく、高さ方向を小型化することができる。特に、Ｕ型形状磁芯を２つ組み合わせて閉磁路磁芯２６を形成しても、上記効果を得ることができる。
【００５２】
【発明の効果】
以上のように本発明によれば、閉磁路磁芯を水平方向になるようにボビンの突出部上に載置しているので、実装基板の配線パターンと閉磁路磁芯とが近接して短絡が生じ易くなることを防止し、的確にノイズを除去することができる。
【００５３】
また、ボビンの突出部上に閉磁路磁芯を水平方向に載置した際、ボビンに巻回した巻線と閉磁路磁芯とが近接して短絡のし易い状態になるが、閉磁路磁芯の内側面とボビンの外周面との間に絶縁板を配置しているので、閉磁路磁芯と巻線との絶縁が的確に図れ、横方向を大きくすることなく、高さ方向を小型化することができる。
【００５４】
この結果、情報端末機器の充電機器等で使用した際、高さ方向の小型化および短絡を防止して的確にノイズ除去を図ることのできるラインフィルタを提供することができる。
【図面の簡単な説明】
【図１】  本発明の実施の形態１におけるラインフィルタの分解斜視図
【図２】  同ラインフィルタの斜視図
【図３】  同ラインフィルタの断面図
【図４】  本発明の実施の形態２におけるラインフイルタの分解斜視図
【図５】  同ラインフィルタの斜視図
【図６】  同ラインフィルタの断面図
【図７】  従来のラインフィルタの分解斜視図
【図８】  同ラインフィルタの斜視図
【符号の説明】
２１  貫通孔
２２  鍔
２３  ボビン
２４  巻線
２５  端子
２６  閉磁路磁芯
２８  絶縁板
２９  突き合わせ面
３０  突出部
３１  凹部
３２  Ｌ字部
３３  テーパ壁部
３４  接着剤
３５  絶縁テープ
３６  溝部
【図１】
0003855661.tif 000002
【図２】
0003855661.tif 000003
【図３】
0003855661.tif 000004
【図４】
0003855661.tif 000005
【図５】
0003855661.tif 000006
【図６】
0003855661.tif 000007
【図７】
0003855661.tif 000008
【図８】
0003855661.tif 000009